(57)【要約】【課題】より厚みを薄くしても、ローカルディミング制御ができる照明装置及び表示装置を提供する。【解決手段】第１散乱部及び第２散乱部と、第１散乱部及び第２散乱部が配置されていない第１領域を有する第１の導光板と、第３散乱部及び第４散乱部を有する第２の導光板と、第１方向において、第１の導光板の第１側面に光を照射する第１照射部と、第１側面に対向する第２側面に光を照射する第２照射部と、第１方向において、第２の導光板の第３側面に光を照射する第３照射部と、第３側面に対向する第４側面に光を照射する第４照射部と、を備え、第２の導光板は、第１の導光板と厚み方向に重ね合わされ、第３散乱部及び第４散乱部は、厚み方向において、第１領域に重なる。【選択図】図３
2019021457.tif 000002
【特許請求の範囲】
【請求項１】
第１散乱部及び第２散乱部と、前記第１散乱部及び前記第２散乱部が配置されていない第１領域を有する第１の導光板と、
第３散乱部及び第４散乱部を有する第２の導光板と、
第１方向において、前記第１の導光板の第１側面に光を照射する第１照射部と、
前記第１側面に対向する第２側面に光を照射する第２照射部と、
前記第１方向において、前記第２の導光板の第３側面に光を照射する第３照射部と、
前記第３側面に対向する第４側面に光を照射する第４照射部と、を備え、
前記第２の導光板は、前記第１の導光板と厚み方向に重ね合わされ、
前記第３散乱部及び前記第４散乱部は、前記厚み方向において、前記第１領域に重なる照明装置。
【請求項２】
前記第１領域は、第２領域と、第３領域とを含み、
前記第１散乱部は、前記第２散乱部よりも前記第１側面側に配置され、
前記第２領域は、前記第１散乱部と前記第２散乱部とに挟まれており、前記第３領域は、前記第２散乱部よりも前記第２側面側にあり、
前記第３散乱部は、前記厚み方向において、前記第２領域と重なり、
前記第４散乱部は、前記厚み方向において、前記第３領域と重なる、請求項１に記載の照明装置。
【請求項３】
前記第３散乱部は、前記厚み方向から見て、前記第１散乱部及び前記第２散乱部に部分的に重なり、
前記第４散乱部は、前記厚み方向から見て、前記第２散乱部に部分的に重なる、請求項２に記載の照明装置。
【請求項４】
前記第１散乱部は、前記第１方向において前記第２散乱部よりも前記第１側面側に配置され、
前記第１領域は、前記第１散乱部と前記第２散乱部とに挟まれており、
前記第３散乱部及び前記第４散乱部は、前記厚み方向からみて重ならず、かつ前記第１方向に並べられている、請求項１に記載の照明装置。
【請求項５】
前記第３散乱部は、前記厚み方向から見て、前記第１散乱部と部分的に重なり、
前記第４散乱部は、前記厚み方向から見て、前記第２散乱部と部分的に重なる、請求項４に記載の照明装置。
【請求項６】
前記第１の導光板と前記第２の導光板との間に介在する、光学的な接続部を備える、請求項４又は５に記載の照明装置。
【請求項７】
前記第１の導光板と前記第２の導光板との間に介在する第１の反射部材と、第２の反射部材とを備え、
前記第１の反射部材は、前記厚み方向からみて、前記第１散乱部に重なる位置に配置され、
前記第２の反射部材は、前記厚み方向からみて、前記第２散乱部に重なる位置に配置される、請求項４から６のいずれか一項に記載の照明装置。
【請求項８】
第１散乱部及び第２散乱部と、前記第１散乱部及び前記第２散乱部が配置されていない第１領域を有する第１の導光板と、
第３散乱部を有する第２の導光板と、
第４散乱部を有する第３の導光板と、
第１方向において、前記第１の導光板の第１側面に光を照射する第１照射部と、
前記第１側面に対向する第２側面に光を照射する第２照射部と、
前記第１方向において、前記第２の導光板の第３側面から前記第３側面に対向する第４側面に光を照射する第３照射部と、
前記第１方向において、前記第３の導光板の第５側面から前記第５側面に対向する第６側面に光を照射する第４照射部と、を備え、
前記第２の導光板は、前記第１の導光板よりも面積が小さく、前記第１の導光板と厚み方向に重ね合わされ、
前記第３の導光板は、前記第１の導光板よりも面積が小さく、前記第２の導光板とは異なる位置で前記第１の導光板と前記厚み方向に重ね合わされ、
前記第３散乱部及び前記第４散乱部は、前記厚み方向において、前記第１領域に重なる照明装置。
【請求項９】
前記第２の導光板及び前記第３の導光板は、前記第１の導光板の光が出射する出射側に配置されている、請求項８に記載の照明装置。
【請求項１０】
前記第１散乱部には、前記第１照射部から離れるにつれ、深さが深くなる複数の溝があり、
前記第２散乱部には、前記第２照射部から離れるにつれ、深さが深くなる複数の溝があり、
前記第３散乱部には、前記第３照射部から離れるにつれ、深さが深くなる複数の溝があり、
前記第４散乱部には、前記第４照射部から離れるにつれ、深さが深くなる複数の溝がある、請求項１から９のいずれか一項に記載の照明装置。
【請求項１１】
前記第１散乱部には、前記第１照射部から離れるにつれ、面密度が大きくなる複数の凸部があり、
前記第２散乱部には、前記第２照射部から離れるにつれ、面密度が大きくなる複数の凸部があり、
前記第３散乱部には、前記第３照射部から離れるにつれ、面密度が大きくなる複数の凸部があり、
前記第４散乱部には、前記第４照射部から離れるにつれ、面密度が大きくなる複数の凸部がある、請求項１から９のいずれか一項に記載の照明装置。
【請求項１２】
前記第１散乱部には、前記第１照射部から離れるにつれ、形状が大きくなる複数の凸部があり、
前記第２散乱部には、前記第２照射部から離れるにつれ、形状が大きくなる複数の凸部があり、
前記第３散乱部には、前記第３照射部から離れるにつれ、形状が大きくなる複数の凸部があり、
前記第４散乱部には、前記第４照射部から離れるにつれ、形状が大きくなる複数の凸部がある、請求項１から９のいずれか一項に記載の照明装置。
【請求項１３】
第１散乱部と、前記第１散乱部が配置されていない第１領域を有する第１の導光板と、
第２散乱部を有する第２の導光板と、
第３散乱部を有する第３の導光板と、
第１方向において、前記第１の導光板の第１側面から前記第１側面に対向する第２側面に光を照射する第１照射部と、
前記第１方向において、前記第２の導光板の第３側面から前記第３側面に対向する第４側面に光を照射する第２照射部と、
前記第１方向において、前記第３の導光板の第５側面から前記第５側面に対向する第６側面に光を照射する第３照射部と、を備え、
前記第２の導光板は、前記第１の導光板よりも面積が小さく、前記第１の導光板と厚み方向に重ね合わされ、
前記第３の導光板は、前記第１の導光板よりも面積が小さく、前記第２の導光板とは異なる位置で前記第１の導光板と前記厚み方向に重ね合わされ、
前記第２散乱部及び前記第３散乱部は、前記厚み方向において、前記第１領域に重なる照明装置。
【請求項１４】
前記第１の導光板は、前記第２の導光板及び前記第３の導光板の光が出射する出射側に配置され、
前記第２の導光板の前記第４側面と前記第３の導光板の前記第６側面との間に配置され、前記第２の導光板から前記第３の導光板へ入射する光、及び前記第３の導光板から前記第２の導光板へ入射する光を遮断する遮光部を備える、請求項１３に記載の照明装置。
【請求項１５】
前記遮光部と前記第１の導光板との間に介在する反射部材を備える、請求項１４に記載の照明装置。
【請求項１６】
前記第１散乱部には、前記第１照射部から離れるにつれ、深さが深くなる複数の溝があり、
前記第２散乱部には、前記第２照射部から離れるにつれ、深さが深くなる複数の溝があり、
前記第３散乱部には、前記第３照射部から離れるにつれ、深さが深くなる複数の溝がある、請求項１３から１５のいずれか一項に記載の照明装置。
【請求項１７】
前記第１散乱部には、前記第１照射部から離れるにつれ、面密度が大きくなる複数の凸部があり、
前記第２散乱部には、前記第２照射部から離れるにつれ、面密度が大きくなる複数の凸部があり、
前記第３散乱部には、前記第３照射部から離れるにつれ、面密度が大きくなる複数の凸部がある、請求項１３から１５のいずれか一項に記載の照明装置。
【請求項１８】
前記第１散乱部には、前記第１照射部から離れるにつれ、形状が大きくなる複数の凸部があり、
前記第２散乱部には、前記第２照射部から離れるにつれ、形状が大きくなる複数の凸部があり、
前記第３散乱部には、前記第３照射部から離れるにつれ、形状が大きくなる複数の凸部がある、請求項１３から１５のいずれか一項に記載の照明装置。
【請求項１９】
請求項１から１８のいずれか一項に記載の照明装置を備える表示装置。
【発明の詳細な説明】
【技術分野】
【０００１】
本発明は、照明装置及び表示装置に関する。
【背景技術】
【０００２】
導光板と、導光板の側面から導光板の内部へ光を照射する光源素子と、を備えるエッジライト型の照明装置が知られている。エッジライト型の照明装置は、例えば、導光板の側面から入射する光を散乱させる散乱部が導光板の下面に形成される。光は、導光板の上面へ透過するように、散乱部で散乱する。
【０００３】
エッジライト型の照明装置には、導光板の上面の領域ごとに明暗を調整する、いわゆるローカルディミング制御が可能なものがある（例えば、特許文献１参照）。
【先行技術文献】
【特許文献】
【０００４】
【特許文献１】特開２００９−１９３８９２号公報
【発明の概要】
【発明が解決しようとする課題】
【０００５】
ここで、照明装置は、より厚みを薄くしても、ローカルディミング制御ができることが望まれている。
【０００６】
本発明の目的は、より厚みを薄くしても、ローカルディミング制御ができる照明装置及び表示装置を提供することにある。
【課題を解決するための手段】
【０００７】
本発明の第一の態様に係る照明装置は、第１散乱部及び第２散乱部と、前記第１散乱部及び前記第２散乱部が配置されていない第１領域を有する第１の導光板と、第３散乱部及び第４散乱部を有する第２の導光板と、第１方向において、前記第１の導光板の第１側面に光を照射する第１照射部と、前記第１側面に対向する第２側面に光を照射する第２照射部と、前記第１方向において、前記第２の導光板の第３側面に光を照射する第３照射部と、前記第３側面に対向する第４側面に光を照射する第４照射部と、を備え、前記第２の導光板は、前記第１の導光板と厚み方向に重ね合わされ、前記第３散乱部及び前記第４散乱部は、前記厚み方向において、前記第１領域に重なる。
【０００８】
本発明の第二の態様に係る照明装置は、第１散乱部及び第２散乱部と、前記第１散乱部及び前記第２散乱部が配置されていない第１領域を有する第１の導光板と、第３散乱部を有する第２の導光板と、第４散乱部を有する第３の導光板と、第１方向において、前記第１の導光板の第１側面に光を照射する第１照射部と、前記第１側面に対向する第２側面に光を照射する第２照射部と、前記第１方向において、前記第２の導光板の第３側面から前記第３側面に対向する第４側面に光を照射する第３照射部と、前記第１方向において、前記第３の導光板の第５側面から前記第５側面に対向する第６側面に光を照射する第４照射部と、を備え、前記第２の導光板は、前記第１の導光板よりも面積が小さく、前記第１の導光板と厚み方向に重ね合わされ、前記第３の導光板は、前記第１の導光板よりも面積が小さく、前記第２の導光板とは異なる位置で前記第１の導光板と前記厚み方向に重ね合わされ、前記第３散乱部及び前記第４散乱部は、前記厚み方向において、前記第１領域に重なる。
【０００９】
本発明の第三の態様に係る照明装置は、第１散乱部と、前記第１散乱部が配置されていない第１領域を有する第１の導光板と、第２散乱部を有する第２の導光板と、第３散乱部を有する第３の導光板と、第１方向において、前記第１の導光板の第１側面から前記第１側面に対向する第２側面に光を照射する第１照射部と、前記第１方向において、前記第２の導光板の第３側面から前記第３側面に対向する第４側面に光を照射する第２照射部と、前記第１方向において、前記第３の導光板の第５側面から前記第５側面に対向する第６側面に光を照射する第３照射部と、を備え、前記第２の導光板は、前記第１の導光板よりも面積が小さく、前記第１の導光板と厚み方向に重ね合わされ、前記第３の導光板は、前記第１の導光板よりも面積が小さく、前記第２の導光板とは異なる位置で前記第１の導光板と前記厚み方向に重ね合わされ、前記第２散乱部及び前記第３散乱部は、前記厚み方向において、前記第１領域に重なる。
【図面の簡単な説明】
【００１０】
【図１】図１は、実施形態１に係る表示装置の概略構成を示す斜視図である。
【図２】図２は、実施形態１に係る表示装置の一構成例を示すブロック図である。
【図３】図３は、実施形態１に係る照明装置をＸ軸方向から見た概略矢視図である。
【図４】図４は、実施形態１に係る第１の導光板の平面図である。
【図５】図５は、実施形態１に係る照明装置の第１散乱部、第２散乱部、第３散乱部及び第４散乱部の位置関係を説明するための説明図である。
【図６】図６は、各光源素子が照射する光が第１上面から出射する領域を説明するための説明図である。
【図７】図７は、実施形態２に係る照明装置をＸ軸方向から見た概略矢視図である。
【図８】図８は、実施形態２に係る第１の導光板の平面図である。
【図９】図９は、実施形態２に係る照明装置の第１散乱部、第２散乱部、第３散乱部及び第４散乱部の位置関係を説明するための説明図である。
【図１０】図１０は、実施形態３に係る照明装置をＸ軸方向から見た概略矢視図である。
【図１１】図１１は、実施形態４に係る照明装置をＸ軸方向から見た概略矢視図である。
【図１２】図１２は、実施形態５に係る照明装置をＸ軸方向から見た概略矢視図である。
【図１３】図１３は、実施形態５に係る第２の導光板の平面図である。
【図１４】図１４は、実施形態５に係る照明装置の第１散乱部、第２散乱部、第３散乱部及び第４散乱部の位置関係を説明するための説明図である。
【図１５】図１５は、実施形態６に係る照明装置をＸ軸方向から見た概略矢視図である。
【図１６】図１６は、実施形態６に係る照明装置の第１散乱部、第２散乱部、及び第３散乱部の位置関係を説明するための説明図である。
【図１７】図１７は、実施形態の変形例１に係る照明装置をＸ軸方向から見た概略矢視図である。
【図１８】図１８は、実施形態の変形例２に係る照明装置をＸ軸方向から見た概略矢視図である。
【発明を実施するための形態】
【００１１】
発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１２】
（実施形態１）
図１は、実施形態１に係る表示装置の概略構成を示す斜視図である。図２は、実施形態１に係る表示装置の一構成例を示すブロック図である。図３は、実施形態１に係る照明装置をＸ軸方向から見た概略矢視図である。図４は、実施形態１に係る第１の導光板の平面図である。図５は、実施形態１に係る照明装置の第１散乱部、第２散乱部、第３散乱部及び第４散乱部の位置関係を説明するための説明図である。以下、ＸＹＺ座標系を用いて、各構成要素の形状や配置を説明する。以下においては、水平面内の一方向をＸ軸方向（第１方向）として説明する。また、水平面内においてＸ軸方向と直交する方向をＹ軸方向（第２方向）として説明する。また、Ｘ軸方向及びＹ軸方向のそれぞれと直交する方向をＺ軸方向（第３方向）として説明する。
【００１３】
図１及び図２に示すように、表示装置１は、表示パネル２と、照明装置３と、画像信号制御部９０と、階調制御部９２と、ゲート線駆動部９４と、データ線駆動部９６と、光源駆動部９８と、を有する。
【００１４】
図１に示すように、表示パネル２は、第１の基板１０と、第２の基板１１と、第１の偏光板１２と、第２の偏光板１３と、を有する。表示パネル２の各構成要素は、第１の偏光板１２、第１の基板１０、第２の基板１１、及び第２の偏光板１３の順にＺ軸方向に並んで配置される。第２の基板１１は、第１の基板１０と対向配置される。第１の基板１０と第２の基板１１とが対向する対向領域の周縁部には、矩形枠状のシール材１９が設けられている。第１の基板１０と第２の基板１１とシール材１９とによって囲まれた空間には、液晶層２５（図２参照）が封入される。シール材１９の内側には、表示領域２Ａが設けられる。
【００１５】
図２に示すように、表示領域２Ａには、Ｘ方向に延びる複数のゲート線２１とＹ方向に延びる複数のデータ線２２とがＺ軸方向から見て格子状に設けられる。ゲート線２１とデータ線２２との各交差部には薄膜トランジスタ２３が設けられる。薄膜トランジスタ２３のゲートとソースは、ゲート線２１とデータ線２２にそれぞれ電気的に接続される。薄膜トランジスタ２３のドレインは、画素電極２４と電気的に接続される。
【００１６】
表示領域２Ａには、各画素電極２４に共通の共通電極２６が設けられる。共通電極２６には、図示略の電源部によってコモン電位Ｖｃｏｍが供給される。液晶層２５は、画素電極２４と共通電極２６との間に発生する電界によって配向を制御される。一つの画素電極２４と共通電極２６とによって液晶層２５の配向が制御される領域が一つの副画素ＰＸである。Ｘ方向及びＹ方向にマトリクス状に配置された複数の副画素ＰＸによって表示領域２Ａが形成される。
【００１７】
図３に示すように、表示パネル２は、複数の画素Ｐを有する。複数の画素Ｐの各々は、互いに異なる色を表示する複数の副画素ＰＸを有する。表示パネル２には、複数の副画素ＰＸにそれぞれ対応した複数のカラーフィルター２８ｆを有するカラーフィルター層２８が設けられる。
【００１８】
カラーフィルター層２８は、赤色カラーフィルター２８ｒ、緑色カラーフィルター２８ｇ、及び青色カラーフィルター２８ｂを有する。１つの画素Ｐは、赤色副画素ＰＸｒ、緑色副画素ＰＸｇ及び青色副画素ＰＸｂを有する。なお、カラーフィルター層２８及び画素Ｐの構成はこれに限られない。３つの副画素ＰＸで表示される色は、赤、緑及び青に限られず、イエロー、シアン及びマゼンタでもよい。また、１つの画素Ｐが有する副画素ＰＸの数は、例えば、２つ又は４つ以上でもよい。
【００１９】
図１及び図３に示すように、照明装置３は、プリズムシート３０と、拡散シート３２と、第１の導光板３４と、第２の導光板５４と、第１照射部７０と、第２照射部７４と、第３照射部７６と、第４照射部７８と、反射板８０と、ＦＰＣ（Flexible  Printed  Circuits）８２，８４，８６，８８と、を備える。なお、以下の説明においては、第１照射部７０、第２照射部７４、第３照射部７６、及び第４照射部７８を適宜、各照射部と称する。図３に示すように、照明装置３の各構成要素は、Ｚ軸方向に向かって反射板８０、第２の導光板５４、第１の導光板３４、拡散シート３２、及びプリズムシート３０の順番に並んで配置される。
【００２０】
プリズムシート３０は、プリズムシート３０に入射する光の出射方向を制御する光学シートである。図３に示すように、プリズムシート３０は、表示パネル２と対向するように配置される。プリズムシート３０は、例えば、表面にプリズムが形成されたアクリル系の樹脂フィルムである。拡散シート３２は、拡散シート３２に入射する光を拡散させる光学フィルムである。拡散シート３２は、例えば、表面にランダムな凹凸が形成されたアクリル樹脂フィルムである。
【００２１】
第１の導光板３４は、例えば、ポリカーボネート又はアクリルの板部材である。図３に示すように、第１の導光板３４は、第１上面３６と、第１上面３６と対向する第１下面３８と、を備える。また、第１の導光板３４は、Ｙ軸方向と直交する第１側面４０と、第１側面４０と対向する第２側面４２と、を備える。図３に示すように、第１の導光板３４は、第１上面３６が拡散シート３２と対向するように配置される。
【００２２】
図３に示すように、第１下面３８には、第１散乱部４４と、第２散乱部４６と、が配置される。第１散乱部４４及び第２散乱部４６は、例えば、第１下面３８に形成された複数の溝である。図３に示される第１散乱部４４及び第２散乱部４６は、Ｘ軸方向から見て、三角形の形状の溝である。第１散乱部４４は、第１側面４０から離れるにしたがって、溝が深くなるように形成される。第２散乱部４６は、第２側面４２から離れるにしたがって、溝が深くなるように形成される。図４に斜線で示す第１領域４８は、第１下面３８の内、第１散乱部４４及び第２散乱部４６が形成されていない領域である。図４に示す第２領域５０は、第１下面３８の内、第１散乱部４４と第２散乱部４６とに挟まれた領域である。図４に示す第３領域５２は、第１下面３８の内、第２散乱部４６よりも第２側面４２側の領域である。
【００２３】
第２の導光板５４は、例えば、ポリカーボネート又はアクリルの板部材である。図１及び図３に示すように、第２の導光板５４は、第１の導光板３４と同様の外寸である。第２の導光板５４は、第２上面５６と、第２上面５６と対向する第２下面５８と、を備える。また、第２の導光板５４は、Ｙ軸方向と直交する第３側面６０と、第３側面６０と対向する第４側面６２と、を備える。図３に示すように、第２の導光板５４は、第２上面５６が第１下面３８と対向するように配置される。
【００２４】
図３に示すように、第２下面５８には、第３散乱部６４と、第４散乱部６６と、が配置される。第３散乱部６４及び第４散乱部６６は、第２下面５８に形成された複数の溝である。第３散乱部６４及び第４散乱部６６のそれぞれの溝は、Ｘ軸方向から見て、三角形の形状である。第３散乱部６４は、第３側面６０から離れるにしたがって、溝が深くなるように形成される。第４散乱部６６は、第４側面６２から離れるにしたがって、溝が深くなるように形成される。
【００２５】
図５に示す説明図は、第１散乱部４４と、第２散乱部４６と、第３散乱部６４と、第４散乱部６６との位置関係を示す。図４及び図５に示すように、第３散乱部６４は、Ｚ軸方向から見て、第２領域５０と重なるように配置される。第４散乱部６６は、Ｚ軸方向から見て、第３領域５２と重なるように配置される。図５に示すように、第３散乱部６４は、Ｚ軸方向から見て、Ｙ軸方向の一方の端部が第１散乱部４４とＸ軸方向に渡って重なるように配置される。第３散乱部６４は、Ｚ軸方向から見て、Ｙ軸方向の他方の端部が第２散乱部４６とＸ軸方向に渡って重なるように配置される。第４散乱部６６は、Ｚ軸方向から見て、Ｙ軸方向の端部が第２散乱部４６とＸ軸方向に渡って重なるように配置される。
【００２６】
図１及び図２に示すように、第１照射部７０は、第１側面４０に沿って配置された光源素子７０Ａ，７０Ｂ，７０Ｃ，７０Ｄ，７０Ｅ，７０Ｆ，７０Ｇを備える。第２照射部７４は、第２側面４２に沿って配置された光源素子７４Ａ，７４Ｂ，７４Ｃ，７４Ｄ，７４Ｅ，７４Ｆ，７４Ｇを備える。第３照射部７６は、第３側面６０に沿って配置された光源素子７６Ａ，７６Ｂ，７６Ｃ，７６Ｄ，７６Ｅ，７６Ｆ，７６Ｇを備える。第４照射部７８は、第４側面６２に沿って配置された光源素子７８Ａ，７８Ｂ，７８Ｃ，７８Ｄ，７８Ｅ，７８Ｆ，７８Ｇを備える。各照射部が備える光源素子は、例えば、発光ダイオード（ＬＥＤ：Light  Emitting  Diode）である。なお、各照射部が備える光源素子の数は、特に限定されない。
【００２７】
図２に示す第１入射光Ｌ１は、第１照射部７０が第１側面４０から第１の導光板３４の内部に照射する光である。図２に示す第２入射光Ｌ２は、第２照射部７４が第２側面４２から第１の導光板３４の内部に照射する光である。図２に示す第３入射光Ｌ３は、第３照射部７６が第３側面６０から第２の導光板５４の内部に照射する光である。図３に示す第４入射光Ｌ４は、第４照射部７８が第４側面６２から第２の導光板５４の内部に照射する光である。
【００２８】
反射板８０は、第２の導光板５４の第２下面５８と対向するように配置される。反射板８０は、第２下面５８から漏れ出た光を反射して、第２の導光板５４に入射させる部材である。反射板８０は、例えば、発泡ＰＥＴ（ポリエチレンテレフタレート）である。反射板８０は、例えば、銀蒸着フィルム、多層膜反射フィルム、白色ＰＥＴなどでもよい。
【００２９】
図３に示すＦＰＣ８２，８４，８６，８８は、フレキシブルプリント回路基板である。フレキシブルプリント回路基板とは、例えば、可撓性を有するポリイミドフィルムに導体箔を張り合わせた基板である。図２に示すように、ＦＰＣ８２は、光源駆動部９８と第１照射部７０とを接続する。ＦＰＣ８４は、光源駆動部９８と第２照射部７４とを接続する。ＦＰＣ８６は、光源駆動部９８と第３照射部７６とを接続する。ＦＰＣ８８は、光源駆動部９８と第４照射部７８とを接続する。
【００３０】
ＦＰＣ８２と、ＦＰＣ８６とは、Ｚ軸方向において、第１照射部７０及び第３照射部７６を間に挟む位置に配置される。これによれば、第１照射部７０と第３照射部７６とをより近い位置に配置できる。また、ＦＰＣ８４と、ＦＰＣ８８とは、Ｚ軸方向において、第２照射部７４及び第４照射部７８を間に挟む位置に配置される。これによれば、第２照射部７４と第４照射部７８とをより近い位置に配置できる。このような構成により、第１の導光板３４と第２の導光板５４とをより近づけて配置できる。その結果、照明装置３の厚みをより薄くすることができる。
【００３１】
図６は、各光源素子が照射する光が第１上面から出射する領域を説明するための説明図である。図２、図３、及び図６を参照して、各光源素子から照射される光が第１上面３６から出射する領域について説明する。図６に示す照射領域Ｉは、第１上面３６において、各光源素子の光が出射する領域を示す。図６に示すように、照射領域Ｉは、Ｘ軸方向に沿って第１行Ｒ１、第２行Ｒ２、第３行Ｒ３、第４行Ｒ４、第５行Ｒ５、第６行Ｒ６、及び第７行Ｒ７に分割される。また、照射領域Ｉは、Ｙ軸方向に沿って第１列Ｃ１、第２列Ｃ２、第３列Ｃ３、及び第４列Ｃ４に分割される。以下においては、ｎ行ｍ列に位置する照射領域Ｉを照射領域Ｉｎｍとして説明する。
【００３２】
照射領域Ｉの第１列Ｃ１は、Ｚ軸方向から見て、第１散乱部４４と重なる領域である。照射領域Ｉの第２列Ｃ２は、Ｚ軸方向から見て、第３散乱部６４と重なる領域である。照射領域Ｉの第３列Ｃ３は、Ｚ軸方向から見て、第２散乱部４６と重なる領域である。照射領域Ｉの第４列Ｃ４は、Ｚ軸方向から見て、第４散乱部６６と重なる領域である。
【００３３】
図３に示すように、第１照射部７０が照射する第１入射光Ｌ１は、第１側面４０を介して第１散乱部４４に入射する。第１散乱部４４において、第１入射光Ｌ１が散乱して、図６に示す照射領域Ｉの第１列Ｃ１から、第１出射光Ｌ５が出射する。ここで、図６に示す第１行Ｒ１、第２行Ｒ２、第３行Ｒ３、第４行Ｒ４、第５行Ｒ５、第６行Ｒ６、及び第７行Ｒ７は、第１照射部７０が備える光源素子７０Ａ，７０Ｂ，７０Ｃ，７０Ｄ，７０Ｅ，７０Ｆ，７０ＧのＸ軸方向における配置位置に対応する。したがって、光源素子７０Ａが照射する光は、照射領域Ｉ１１から出射する。同様に、光源素子７０Ｂが照射する光は、照射領域Ｉ２１から出射する。同様に、光源素子７０Ｃ，７０Ｄ，７０Ｅ，７０Ｆ，７０Ｇがそれぞれ照射する光は、第１列Ｃ１の内、Ｘ軸方向における位置が対応する照射領域から出射する。
【００３４】
図３に示すように、第２照射部７４が照射する第２入射光Ｌ２は、第２側面４２を介して第２散乱部４６に入射する。第２散乱部４６において、第２入射光Ｌ２が散乱して、図６に示す照射領域Ｉの第３列Ｃ３から、第２出射光Ｌ６が出射する。第１照射部７０と同様に、光源素子７４Ａから光源素子７４Ｇが照射する光は、第３列Ｃ３の内、Ｘ軸方向における位置が対応する照射領域から出射する。
【００３５】
図３に示すように、第３照射部７６が照射する第３入射光Ｌ３は、第３側面６０を介して第３散乱部６４に入射する。第３散乱部６４において、第３入射光Ｌ３が散乱して、図６に示す照射領域Ｉの第２列Ｃ２から、第３出射光Ｌ７が出射する。第１照射部７０と同様に、光源素子７６Ａから光源素子７６Ｇが照射する光は、第２列Ｃ２の内、Ｘ軸方向における位置が対応する照射領域からそれぞれ出射する。
【００３６】
図３に示すように、第４照射部７８が照射する第４入射光Ｌ４は、第４側面６２を介して第４散乱部６６に入射する。第４散乱部６６において、第４入射光Ｌ４が散乱して、図６に示す照射領域Ｉの第４列Ｃ４から、第４出射光Ｌ８が出射する。第１照射部７０と同様に、光源素子７８Ａから光源素子７８Ｇが照射する光は、第４列Ｃ４の内、Ｘ軸方向における位置が対応する照射領域から出射する。
【００３７】
図３に示すように、第１出射光Ｌ５、第２出射光Ｌ６、第３出射光Ｌ７、及び第４出射光Ｌ８は、拡散シート３２で拡散される。そして、拡散シート３２で拡散された拡散光は、プリズムシート３０によって指向性を制御されて表示パネル２に入射する。
【００３８】
次に、図２を参照して、表示パネル２及び照明装置３の駆動方法の一例について説明する。表示パネル２及び照明装置３の駆動は、図２に示す画像信号制御部９０、階調制御部９２、ゲート線駆動部９４、データ線駆動部９６、及び光源駆動部９８によって制御される。
【００３９】
画像信号制御部９０は、外部から入力された画像信号ＶＳに基づいて画像制御信号ＶＣＳと、発光制御信号ＬＣＳとを生成する。画像信号ＶＳは、各副画素ＰＸの階調値に関する階調情報を含む。以下、画像信号ＶＳが有する階調情報に関わる階調値を第一の階調値という。第一の階調値は、例えば、０〜２５５までの値を示す。
【００４０】
画像制御信号ＶＣＳは、表示パネル２の各副画素ＰＸにどのような階調値を与えるかを定める信号である。画像制御信号ＶＣＳは、各副画素ＰＸの階調値に関する階調情報を含む。以下、画像制御信号ＶＣＳが有する階調情報に関わる階調値を第二の階調値とする。第二の階調値は、例えば、０〜２５５までの値を示す。画像信号制御部９０は、例えば、第一の階調値にガンマ補正及び伸張処理などの補正処理を加えることによって、第一の階調値とは異なる第二の階調値を設定する。
【００４１】
階調制御部９２は画像制御信号ＶＣＳに基づいて水平駆動信号ＨＤＳと垂直駆動信号ＶＤＳとを生成する。ゲート線駆動部９４は水平駆動信号ＨＤＳに基づいて１垂直走査期間内に表示パネル２の複数のゲート線２１を選択する。選択の順番は任意である。例えば、複数のゲート線２１は、Ｓ１，Ｓ２，Ｓ３，…，Ｓｍの順に順次選択される。データ線駆動部９６は垂直駆動信号ＶＤＳに基づいて１水平走査期間内に表示パネル２の複数のデータ線２２に各副画素ＰＸの第二の階調値に応じた階調信号を供給する。これにより、表示パネル２は、１フレーム分の画像を表示する。
【００４２】
発光制御信号ＬＣＳは、各光源素子から照射される光の光量の情報を含む信号である。また、発光制御信号ＬＣＳは、各光源素子が光を照射するタイミングの情報を含む信号である。画像信号制御部９０は、照射領域Ｉｎｍと対応する表示パネル２の表示部分の画像の明るさ（例えば、表示部分に含まれる複数の副画素ＰＸの平均的な第一の階調値）に応じて、各照射部の光源素子の光量を設定する。具体的には、画像信号制御部９０は、暗い画像が表示される部分の光量が小さくなるように発光制御信号ＬＣＳを設定する。また、画像信号制御部９０は、明るい画像が表示される部分の光量が大きくなるように発光制御信号ＬＣＳを設定する。
【００４３】
光源駆動部９８は、発光制御信号ＬＣＳに基づいて、１水平走査期間内に各散乱部の各光源素子に指定された光量で光を放射させる。これにより、照明装置３は、表示パネル２の表示部分の画像の明るさに応じた光量の光を表示パネル２に向けて照射することができる。したがって、照明装置３は、表示パネル２が暗い画像を表示する部分の光量を小さくすることができる。また、照明装置３は、表示パネル２が明るい画像を表示する部分の光量を大きくすることができる。その結果、表示パネル２は、消費電力を抑制しつつ、コントラストを向上することができる。
【００４４】
実施形態１に係る照明装置３は、図３に示すように、第１散乱部４４が第２散乱部４６よりも第１側面４０側に配置される。また、図４及び図５に示すように、照明装置３は、Ｚ軸方向から見て、第３散乱部６４が第２領域５０と重なるように配置される。また、照明装置３は、Ｚ軸方向から見て、第４散乱部６６が第３領域５２と重なるように配置される。したがって、第１散乱部４４と、第２散乱部４６と、第３散乱部６４と、第４散乱部６６とは、Ｚ軸方向から見て、互いに重ならない領域をそれぞれ備える。そして、第１散乱部４４、第２散乱部４６、第３散乱部６４、及び第４散乱部６６は、それぞれに入射する光を散乱して第１上面３６から出射させる。したがって、第１散乱部４４と、第２散乱部４６と、第３散乱部６４と、第４散乱部６６とは、第１上面３６の異なる領域からそれぞれ光を出射させることができる。
【００４５】
さらに、第１照射部７０の各光源素子は、Ｘ軸方向の異なる位置から第１散乱部４４に光を入射する。また、第２照射部７４の各光源素子は、Ｘ軸方向の異なる位置から第２散乱部４６に光を入射する。また、第３照射部７６の各光源素子は、Ｘ軸方向の異なる位置から第３散乱部６４に光を入射する。また、第４照射部７８の各光源素子は、Ｘ軸方向の異なる位置から第４散乱部６６に光を入射する。したがって、表示装置１は、各光源素子ごとの光量を制御することで、第１上面３６から出射する光の光量を第１上面３６の領域毎に調整することができる。つまり、表示装置１は、ローカルディミング制御を実行することができる。
【００４６】
さらに、照明装置３は、第１散乱部４４及び第２散乱部４６が第１の導光板３４の第１下面３８に配置される。また、照明装置３は、第３散乱部６４及び第４散乱部６６が第２の導光板５４の第２下面５８に配置される。したがって、照明装置３は、２枚の導光板のみを用いて照射領域ＩをＹ方向に４分割することができる。すなわち、照明装置３は、Ｚ軸方向の厚みを抑制しつつ、高い解像度でローカルディミング制御を実現することができる。
【００４７】
実施形態１に係る照明装置３は、図５に示すように、Ｚ軸方向から見て、第３散乱部６４のＹ軸方向の一方の端部が第１散乱部４４とＸ軸方向に渡って重なるように配置される。これによれば、第１散乱部４４が散乱して第１上面３６から出射する第１出射光Ｌ５と、第３散乱部６４が散乱して第１上面３６から出射する第３出射光Ｌ７と、が重なる。また、第３散乱部６４は、Ｙ軸方向の他方の端部が第２散乱部４６とＸ軸方向に渡って重なるように配置される。これによれば、第２散乱部４６が散乱して第１上面３６から出射する第２出射光Ｌ６と、第３出射光Ｌ７と、が重なる。また、第４散乱部６６は、Ｚ軸方向から見て、Ｙ軸方向の端部が第２散乱部４６とＸ軸方向に渡って重なるように配置される。これによれば、第２出射光Ｌ６と、第４散乱部６６が散乱して第１上面３６から出射する第４出射光Ｌ８と、が重なる。その結果、照明装置３は、各散乱部の境界において、輝度が低下することを抑制できる。さらに、各散乱部が重なっていない場合と比較して、第１の導光板３４と第２の導光板５４とが位置ずれした場合に、各散乱部の境界で輝度が低下することを抑制できる。したがって、照明装置３は、第１の導光板３４と第２の導光板５４との位置ずれの許容寸法を大きくすることができる。その結果、第１の導光板３４と第２の導光板５４とのアライメントを容易に行うことができる。
【００４８】
実施形態１に係る照明装置３は、図３に示すように、第１散乱部４４の溝が第１側面４０から離れるにしたがって深くなる。ここで、第１散乱部４４に入射する光は、溝が深い程より散乱される。したがって、第１散乱部４４は、第１側面４０に近い程光を散乱し難い。また、第１散乱部４４は、第１側面４０から離れる程、光をより散乱する。そして、第１照射部７０から第１散乱部４４へ入射する第１入射光Ｌ１は、第１側面４０から入射する。これによれば、第１散乱部４４は、第１側面４０に近い領域（第１入射光Ｌ１の光の強度が大きい領域）よりも第１側面４０から離れた領域（第１入射光Ｌ１の光の強度が小さい領域）で光をより散乱する。したがって、第１散乱部４４は、第１上面３６から均一に光を出射させることができる。また、第２散乱部４６の溝は、第２側面４２から離れるにしたがって深くなる。また、第３散乱部６４の溝は、第３側面６０から離れるにしたがって深くなる。また、第４散乱部６６の溝は、第４側面６２から離れるにしたがって深くなる。これによれば、第２散乱部４６、第３散乱部６４、及び第４散乱部６６は、第１散乱部４４と同様に、第１上面３６から均一に光を出射させることができる。
【００４９】
第１散乱部４４、第２散乱部４６、第３散乱部６４、及び第４散乱部６６は、導光板に形成された溝であるとしたがこれに限定されない。第１散乱部４４、第２散乱部４６、第３散乱部６４、及び第４散乱部６６は、光を散乱できるものであればよい。第１散乱部４４、第２散乱部４６、第３散乱部６４、及び第４散乱部６６は、例えば、導光板の下面に印刷された複数のドット等でもよい。この場合、各散乱部に形成されたドットの粗密を調整することで、第１上面３６から出射する光の光量が均一となるように調整してもよい。
【００５０】
第３散乱部６４は、Ｚ軸方向から見て、第２領域５０と重なるように配置されるとしたが、これに限定されない。また、第４散乱部６６は、Ｚ軸方向から見て、第３領域５２と重なるように配置されるとしたがこれに限定されない。第３散乱部６４及び第４散乱部６６は、Ｚ軸方向から見て、それぞれの少なくとも一部が第１領域４８と重なるように配置されていればよい。これによれば、第１散乱部４４、第２散乱部４６、第３散乱部６４、及び第４散乱部６６は、Ｚ軸方向から見て、それぞれの少なくとも一部が互いに重ならない。これにより、照明装置３は、第１出射光Ｌ５、第２出射光Ｌ６、第３出射光Ｌ７、及び第４出射光Ｌ８を第１上面３６の異なる領域から出射させることができる。
【００５１】
照明装置３は、第１の導光板３４及び第２の導光板５４を備えるとしたがこれに限定されない。照明装置３は、それぞれ少なくとも１つの散乱部が配置された３枚以上の導光板を備えてもよい。そして、各導光板の側面から光を入射する照射部を複数備えていてもよい。この場合、Ｚ軸方向から見て、各散乱部の少なくとも一部が互いに重ならないように配置すればよい。これによれば、実施形態１に係る照明装置３と同様に、ローカルディミング制御を実現することができる。
【００５２】
（実施形態２）
図７は、実施形態２に係る照明装置をＸ軸方向から見た概略矢視図である。図８は、実施形態２に係る第１の導光板の平面図である。図９は、実施形態２に係る照明装置の第１散乱部、第２散乱部、第３散乱部及び第４散乱部の位置関係を説明するための説明図である。図７から図９を参照して実施形態２に係る表示装置１ａについて説明する。なお、実施形態１に係る表示装置１と共通する構成要素については、同じ符号を付し、詳細な説明は省略する。
【００５３】
表示装置１ａは、照明装置３に代えて照明装置３ａを備えること以外は、表示装置１と同様である。照明装置３ａは、第１散乱部４４、第２散乱部４６、第３散乱部６４及び第４散乱部６６に代えて、第１散乱部４４ａ、第２散乱部４６ａ、第３散乱部６４ａ及び第４散乱部６６ａを備えること以外は、照明装置３と同様である。
【００５４】
図８に示す第１領域５０ａは、第１下面３８の内、第１散乱部４４ａ及び第２散乱部４６ａに挟まれた領域である。図８及び図９に示すように、第３散乱部６４ａ及び第４散乱部６６ａは、Ｚ軸方向から見て、第１領域５０ａとそれぞれが重なるように配置される。図９に示すように、第３散乱部６４ａは、Ｚ軸方向から見て、Ｙ軸方向の端部が第１散乱部４４ａとＸ軸方向に渡って重なるように配置される。第４散乱部６６ａは、Ｚ軸方向から見て、Ｙ軸方向の端部が第２散乱部４６ａとＸ軸方向に渡って重なるように配置される。これによれば、照明装置３同様に、各散乱部の境界において、輝度が低下することを抑制できる。また、照明装置３同様に、第１の導光板３４と第２の導光板５４とのアライメントを容易に行うことができる。
【００５５】
（実施形態３）
図１０は、実施形態３に係る照明装置をＸ軸方向から見た概略矢視図である。図８及び図１０を参照して実施形態３に係る表示装置１ｂについて説明する。なお、実施形態２に係る表示装置１ａと共通する構成要素については、同じ符号を付し、詳細な説明は省略する。
【００５６】
表示装置１ｂは、照明装置３ａに代えて照明装置３ｂを備えること以外は、表示装置１ａと同様である。照明装置３ｂは、接続部１００ｂを備えること以外は、照明装置３ａと同様である。
【００５７】
図１０に示すように、接続部１００ｂは、第１領域５０ａ（図８参照）と第２上面５６とを光学的に接続する接続部材である。本実施形態において光学的に接続されるとは、屈折率の近い材料によって２つの部材が接続されることを示す。ここで、第３散乱部６４ａ及び第４散乱部６６ａは、Ｚ軸方向から見て、第１領域５０ａと重なる。このような構成により、照明装置３ｂは、第３散乱部６４ａで散乱された光が第２上面５６で全反射することを抑制できる。また、照明装置３ｂは、第４散乱部６６ａで散乱された光が第２上面５６で全反射することを抑制できる。したがって、照明装置３ｂは、第３散乱部６４ａ及び第４散乱部６６ａで散乱された光をより効率的に第１上面３６から出射させることができる。なお、接続部１００ｂは、第１の導光板３４及び第２の導光板５４と屈折率が近い光学接着部材であればよい。接続部１００ｂは、例えば、光学粘着材（ＯＣＡ：Optical  Clear  Adhensive）である。また接続部１００ｂは、例えば、光学透明樹脂（ＯＣＲ：Optical  Clear  Resin）でもよく、さらにアクリル系の光学透明樹脂であってもよい。
【００５８】
（実施形態４）
図１１は、実施形態４に係る照明装置をＸ軸方向から見た概略矢視図である。図１１を参照して実施形態４に係る表示装置１ｃについて説明する。なお、実施形態２に係る表示装置１ａと共通する構成要素については、同じ符号を付し、詳細な説明は省略する。
【００５９】
表示装置１ｃは、照明装置３ａに代えて照明装置３ｃを備えること以外は、表示装置１ａと同様である。照明装置３ｃは、反射板１０２ｃ，１０４ｃを備えること以外は、照明装置３ａと同様である。
【００６０】
図１１に示すように、反射板１０２ｃは、第１散乱部４４ａと第２上面５６との間に配置されること以外は、反射板８０と同様である。反射板１０４ｃは、第２散乱部４６ａと第２上面５６との間に配置されること以外は、反射板８０と同様である。これによれば、反射板１０２ｃは、第１散乱部４４ａに入射して第２の導光板５４側へ漏れる光を反射することができる。これによれば、第１入射光Ｌ１が効率よく第１散乱部４４ａで散乱することができる。また、反射板１０４ｃは、第２散乱部４６ａに入射して第２の導光板５４側へ漏れる光を反射することができる。これによれば、第２入射光Ｌ２が効率よく第２散乱部４６ａで散乱することができる。
【００６１】
さらに、反射板１０２ｃは、第２の導光板５４の内部から直接第１散乱部４４ａへ入射する光を反射することができる。これによれば、第３入射光Ｌ３が効率よく第３散乱部６４ａで散乱することができる。また、反射板１０４ｃは、第２の導光板５４の内部から直接第２散乱部４６ａへ入射する光を反射することができる。これによれば、第４入射光Ｌ４が効率よく第４散乱部６６ａで散乱することができる。
【００６２】
（実施形態５）
図１２は、実施形態５に係る照明装置をＸ軸方向から見た概略矢視図である。図１３は、実施形態５に係る第２の導光板の平面図である。図１４は、実施形態５に係る照明装置の第１散乱部、第２散乱部、第３散乱部及び第４散乱部の位置関係を説明するための説明図である。図１２から図１４を参照して実施形態５に係る表示装置１ｄについて説明する。なお、実施形態２に係る表示装置１ａと共通する構成要素については、同じ符号を付し、詳細な説明は省略する。
【００６３】
表示装置１ｄは、照明装置３ａに代えて照明装置３ｄを備えること以外は、表示装置１ａと同様である。照明装置３ｄは、第１の導光板３４に代えて第１の導光板３４ｄ及び第３の導光板１０６ｄを備える点で照明装置３ａと相違する。また、照明装置３ｄは、第２照射部７４に代えて第２照射部７４ｄを備える点で照明装置３ａと相違する。
【００６４】
図１２に示すように、第１の導光板３４ｄは、第２散乱部４６ａを備えていない点で第１の導光板３４と異なる。第３の導光板１０６ｄは、第３上面１０８ｄと、第３上面１０８ｄと対向する第３下面１１０ｄと、を備える。また、第３の導光板１０６ｄは、第５側面１１２ｄと、第５側面１１２ｄと対向する第６側面１１４ｄと、を備える。第３の導光板１０６ｄは、第３上面１０８ｄが拡散シート３２と対向するように配置される。第３の導光板１０６ｄは、第６側面１１４ｄが第２側面４２と対向するように配置される。第３下面１１０ｄには、第２散乱部４６ｄが配置される。第２散乱部４６ｄは、第３下面１１０ｄに配置されること以外は第２散乱部４６ａと同様である。
【００６５】
第２照射部７４ｄは、第２側面４２に代えて、第５側面１１２ｄに沿って光源素子が配置されること以外は、第２照射部７４と同様である。
【００６６】
図１３に示す平面図は、第２の導光板５４をＺ軸方向から見た平面図である。図１３に示す第４領域１１６ｄは、第２下面５８の内、第３散乱部６４ａよりも第３側面６０側の領域である。図１３に示す第５領域１１８ｄは、第２下面５８の内、第４散乱部６６ａよりも第４側面６２側の領域である。
【００６７】
図１３及び図１４に示すように、第１散乱部４４ａは、Ｚ軸方向において、第４領域１１６ｄと重なる。また、第２散乱部４６ｄは、Ｚ軸方向において、第５領域１１８ｄと重なる。図１４に示すように、第３散乱部６４ａ及び第４散乱部６６ａは、第１の導光板３４ｄ及び第３の導光板１０６ｄと少なくとも一部が重ならないように配置される。これによれば、第３散乱部６４ａで散乱された光は、第１の導光板３４ｄ及び第３の導光板１０６ｄと干渉することなく表示パネル２に入射することができる。これにより、第３散乱部６４ａで散乱された光を効率よく表示パネル２に入射させることができる。また、第４散乱部６６ａで散乱された光は、第１の導光板３４ｄ及び第３の導光板１０６ｄと干渉することなく表示パネル２に入射することができる。これにより、第４散乱部６６ａで散乱された光を効率よく表示パネル２に入射させることができる。その結果、照明装置３ｄは、より少ない消費電力で必要な光量を表示パネル２に照射することができる。
【００６８】
（実施形態６）
図１５は、実施形態６に係る照明装置をＸ軸方向から見た概略矢視図である。図１６は、実施形態６に係る照明装置の第１散乱部、第２散乱部、及び第３散乱部の位置関係を説明するための説明図である。図１５及び図１６を参照して実施形態６に係る表示装置１ｅについて説明する。なお、実施形態１に係る表示装置１と共通する構成要素については、同じ符号を付し、詳細な説明は省略する。
【００６９】
図１５に示すように、表示装置１ｅは、照明装置３に代えて照明装置３ｅを備えること以外は、表示装置１と同様である。照明装置３ｅは、第１の導光板３４に代えて第１の導光板３４ｅを備える点で照明装置３と相違する。また、照明装置３ｅは、第２の導光板５４に代えて第２の導光板５４ｅを備える点で照明装置３と相違する。また、照明装置３ｅは、第２照射部７４及び第４照射部７８に代えて第２照射部７４ｅを備える点で照明装置３と相違する。また、照明装置３ｅは、第３の導光板１０６ｅ、遮光部１３０ｅ、及び反射板１４０ｅを備える点で照明装置３と相違する。
【００７０】
第１の導光板３４ｅは、第２散乱部４６を備えていない点で第１の導光板３４と相違する。第２の導光板５４ｅは、第３散乱部６４及び第４散乱部６６に代えて第３散乱部６４ｅを備える点で第２の導光板５４と相違する。また、第２の導光板５４ｅは、第２下面５８が反射板８０と接するように配置される点で第２の導光板５４と相違する。
【００７１】
第３の導光板１０６ｅは、第３上面１０８ｅと、第３上面１０８ｅと対向する第３下面１１０ｅと、を備える。また、第３の導光板１０６ｅは、第５側面１１２ｅと、第５側面１１２ｅと対向する第６側面１１４ｅと、を備える。第３の導光板１０６ｅは、第３上面１０８ｅが第１下面３８と対向するように配置される。第３の導光板１０６ｅは、第６側面１１４ｅが第４側面６２と対向するように配置される。第３の導光板１０６ｅは、第３下面１１０ｅが反射板８０と接するように配置される。第３下面１１０ｅには、第２散乱部４６ｅが配置される。第２散乱部４６ｅは、第３下面１１０ｅに配置される点で第２散乱部４６と相違する。
【００７２】
図１６に示す説明図は、第１の導光板３４ｅをＺ軸方向から見た平面図である。図１６に斜線で示す第６領域１２４ｅは、第１下面３８の内、第１散乱部４４よりも第１側面４０側の領域である。図１６に斜線で示す第７領域１２６ｅは、第１下面３８の内、第１散乱部４４よりも第２側面４２側の領域である。図１６に示すように、第３散乱部６４ｅは、Ｚ軸方向において第６領域１２４ｅと重なるように配置される。第２散乱部４６ｅは、Ｚ軸方向において第７領域１２６ｅと重なるように配置される。
【００７３】
第２照射部７４ｅは、光源素子７４Ａ，７４Ｂ，７４Ｃ，７４Ｄ，７４Ｅ，７４Ｆ，７４Ｇが第５側面１１２ｅに沿って配置される点で第２照射部７４と相違する。
【００７４】
図１５及び図１６に示すように、遮光部１３０ｅは、直方体形状の部材である。遮光部１３０ｅは、例えば、光を遮断可能な樹脂材料から形成される。遮光部１３０ｅは、Ｚ軸方向の厚みが第２の導光板５４ｅ及び第３の導光板１０６ｅと略同じである。遮光部１３０ｅは、上面１３２ｅと、側面１３４ｅ，１３６ｅと、下面１３８ｅと、を備える。遮光部１３０ｅは、上面１３２ｅが反射板１４０ｅと接するように配置される。遮光部１３０ｅは、側面１３４ｅが空気層を介して第４側面６２と対向するように配置される。遮光部１３０ｅは、側面１３６ｅが空気層を介して第６側面１１４ｅと対向するように配置される。遮光部１３０ｅは、下面１３８ｅが、反射板８０と接するように配置される。
【００７５】
これによれば、遮光部１３０ｅは、第２の導光板５４ｅから第３の導光板１０６ｅへ漏れる光を遮断することができる。また、遮光部１３０ｅは、第３の導光板１０６ｅから第２の導光板５４ｅへ漏れる光を遮断することができる。
【００７６】
図１５に示すように、反射板１４０ｅは、第１散乱部４４と遮光部１３０ｅとの間に配置されること以外は、反射板８０と同様である。これによれば、反射板１４０ｅは、第１散乱部４４を透過して第１の導光板３４ｅの外部へ漏れる光を反射することができる。これによれば、第１照射部７０において、第１の導光板３４ｅに入射する光が効率よく第１散乱部４４で散乱することができる。
【００７７】
遮光部１３０ｅは、第２の導光板５４ｅ及び第３の導光板１０６ｅと熱膨張率が近い材料であることが好ましい。また、遮光部１３０ｅは、第２の導光板５４ｅ及び第３の導光板１０６ｅと同じ材料であることがより好ましい。これによれば、表示装置１ｅの温度が変化した場合でも、遮光部１３０ｅの熱変形量と、第２の導光板５４ｅ及び第３の導光板１０６ｅの熱変形量を略同じにできる。これにより、熱変形によって、遮光部１３０ｅと反射板１４０ｅ及び反射板８０との間に隙間が発生することを抑制できる。その結果、表示装置１ｅの温度が変化した場合でも、第２の導光板５４ｅから第３の導光板１０６ｅへ光が漏れることを抑制できる。したがって、表示装置１ｅは、表示領域２Ａのコントラストを向上することができる。
【００７８】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【００７９】
図１７は、実施形態の変形例１に係る照明装置をＸ軸方向から見た概略矢視図である。なお、実施形態１に係る表示装置１と共通する構成要素については、同じ符号を付し、詳細な説明は省略する。照明装置３ｆは、第１散乱部４４、第２散乱部４６、第３散乱部６４及び第４散乱部６６に代えて、第１散乱部４４ｆ、第２散乱部４６ｆ、第３散乱部６４ｆ及び第４散乱部６６ｆを備えること以外は、照明装置３と同様である。第１散乱部４４ｆ、第２散乱部４６ｆ、第３散乱部６４ｆ及び第４散乱部６６ｆは、凹凸であって、それぞれが複数の凸部（ドット）を備える。複数の凸部は、第１照射部７０と、第２照射部７４と、第２照射部７４、第３照射部７６から離れるに従って、面密度が大きくなる。
【００８０】
図１８は、実施形態の変形例２に係る照明装置をＸ軸方向から見た概略矢視図である。なお、実施形態１に係る表示装置１と共通する構成要素については、同じ符号を付し、詳細な説明は省略する。照明装置３ｇは、第１散乱部４４、第２散乱部４６、第３散乱部６４及び第４散乱部６６に代えて、第１散乱部４４ｇ、第２散乱部４６ｇ、第３散乱部６４ｇ及び第４散乱部６６ｇを備えること以外は、照明装置３と同様である。第１散乱部４４ｇ、第２散乱部４６ｇ、第３散乱部６４ｇ及び第４散乱部６６ｇは、凹凸であって、それぞれが複数の凸部（ドット）を備える。複数の凸部は、第１照射部７０と、第２照射部７４と、第２照射部７４、第３照射部７６から離れるに従って、形状の大きさが大きくなる。
【００８１】
実施形態の変形例１及び実施形態の変形例２は、実施形態１のみならず、実施形態２乃至実施形態６に適用可能である。
【００８２】
本発明は、以下の態様に係る照明装置及び表示装置に広く適用可能である。
【００８３】
（１）
第１散乱部及び第２散乱部と、前記第１散乱部及び前記第２散乱部が配置されていない第１領域を有する第１の導光板と、
第３散乱部及び第４散乱部を有する第２の導光板と、
第１方向において、前記第１の導光板の第１側面に光を照射する第１照射部と、
前記第１側面に対向する第２側面に光を照射する第２照射部と、
前記第１方向において、前記第２の導光板の第３側面に光を照射する第３照射部と、
前記第３側面に対向する第４側面に光を照射する第４照射部と、を備え、
前記第２の導光板は、前記第１の導光板と厚み方向に重ね合わされ、
前記第３散乱部及び前記第４散乱部は、前記厚み方向において、前記第１領域に重なる照明装置。
（２）
前記第１領域は、第２領域と、第３領域とを含み、
前記第１散乱部は、前記第２散乱部よりも前記第１側面側に配置され、
前記第２領域は、前記第１散乱部と前記第２散乱部とに挟まれており、前記第３領域は、前記第２散乱部よりも前記第２側面側にあり、
前記第３散乱部は、前記厚み方向において、前記第２領域と重なり、
前記第４散乱部は、前記厚み方向において、前記第３領域と重なる、（１）に記載の照明装置。
（３）
前記第３散乱部は、前記厚み方向から見て、前記第１散乱部及び前記第２散乱部に部分的に重なり、
前記第４散乱部は、前記厚み方向から見て、前記第２散乱部に部分的に重なる、（２）に記載の照明装置。
（４）
前記第１散乱部は、前記第１方向において前記第２散乱部よりも前記第１側面側に配置され、
前記第１領域は、前記第１散乱部と前記第２散乱部とに挟まれており、
前記第３散乱部及び前記第４散乱部は、前記厚み方向からみて重ならず、かつ前記第１方向に並べられている、（１）に記載の照明装置。
（５）
前記第３散乱部は、前記厚み方向から見て、前記第１散乱部と部分的に重なり、
前記第４散乱部は、前記厚み方向から見て、前記第２散乱部と部分的に重なる、（４）に記載の照明装置。
（６）
前記第１の導光板と前記第２の導光板との間に介在する、光学的な接続部を備える、（４）又は（５）に記載の照明装置。
（７）
前記第１の導光板と前記第２の導光板との間に介在する第１の反射部材と、第２の反射部材とを備え、
前記第１の反射部材は、前記厚み方向からみて、前記第１散乱部に重なる位置に配置され、
前記第２の反射部材は、前記厚み方向からみて、前記第２散乱部に重なる位置に配置される、（４）から（６）のいずれか一項に記載の照明装置。
（８）
第１散乱部及び第２散乱部と、前記第１散乱部及び前記第２散乱部が配置されていない第１領域を有する第１の導光板と、
第３散乱部を有する第２の導光板と、
第４散乱部を有する第３の導光板と、
第１方向において、前記第１の導光板の第１側面に光を照射する第１照射部と、
前記第１側面に対向する第２側面に光を照射する第２照射部と、
前記第１方向において、前記第２の導光板の第３側面から前記第３側面に対向する第４側面に光を照射する第３照射部と、
前記第１方向において、前記第３の導光板の第５側面から前記第５側面に対向する第６側面に光を照射する第４照射部と、を備え、
前記第２の導光板は、前記第１の導光板よりも面積が小さく、前記第１の導光板と厚み方向に重ね合わされ、
前記第３の導光板は、前記第１の導光板よりも面積が小さく、前記第２の導光板とは異なる位置で前記第１の導光板と前記厚み方向に重ね合わされ、
前記第３散乱部及び前記第４散乱部は、前記厚み方向において、前記第１領域に重なる照明装置。
（９）
前記第２の導光板及び前記第３の導光板は、前記第１の導光板の光が出射する出射側に配置されている、（８）に記載の照明装置。
（１０）
前記第１散乱部には、前記第１照射部から離れるにつれ、深さが深くなる複数の溝があり、
前記第２散乱部には、前記第２照射部から離れるにつれ、深さが深くなる複数の溝があり、
前記第３散乱部には、前記第３照射部から離れるにつれ、深さが深くなる複数の溝があり、
前記第４散乱部には、前記第４照射部から離れるにつれ、深さが深くなる複数の溝がある、（１）から（９）のいずれか一項に記載の照明装置。
（１１）
前記第１散乱部には、前記第１照射部から離れるにつれ、面密度が大きくなる複数の凸部があり、
前記第２散乱部には、前記第２照射部から離れるにつれ、面密度が大きくなる複数の凸部があり、
前記第３散乱部には、前記第３照射部から離れるにつれ、面密度が大きくなる複数の凸部があり、
前記第４散乱部には、前記第４照射部から離れるにつれ、面密度が大きくなる複数の凸部がある、（１）から（９）のいずれか一項に記載の照明装置。
（１２）
前記第１散乱部には、前記第１照射部から離れるにつれ、形状が大きくなる複数の凸部があり、
前記第２散乱部には、前記第２照射部から離れるにつれ、形状が大きくなる複数の凸部があり、
前記第３散乱部には、前記第３照射部から離れるにつれ、形状が大きくなる複数の凸部があり、
前記第４散乱部には、前記第４照射部から離れるにつれ、形状が大きくなる複数の凸部がある、（１）から（９）のいずれか一項に記載の照明装置。
（１３）
第１散乱部と、前記第１散乱部が配置されていない第１領域を有する第１の導光板と、
第２散乱部を有する第２の導光板と、
第３散乱部を有する第３の導光板と、
第１方向において、前記第１の導光板の第１側面から前記第１側面に対向する第２側面に光を照射する第１照射部と、
前記第１方向において、前記第２の導光板の第３側面から前記第３側面に対向する第４側面に光を照射する第２照射部と、
前記第１方向において、前記第３の導光板の第５側面から前記第５側面に対向する第６側面に光を照射する第３照射部と、を備え、
前記第２の導光板は、前記第１の導光板よりも面積が小さく、前記第１の導光板と厚み方向に重ね合わされ、
前記第３の導光板は、前記第１の導光板よりも面積が小さく、前記第２の導光板とは異なる位置で前記第１の導光板と前記厚み方向に重ね合わされ、
前記第２散乱部及び前記第３散乱部は、前記厚み方向において、前記第１領域に重なる照明装置。
（１４）
前記第１の導光板は、前記第２の導光板及び前記第３の導光板の光が出射する出射側に配置され、
前記第２の導光板の前記第４側面と前記第３の導光板の前記第６側面との間に配置され、前記第２の導光板から前記第３の導光板へ入射する光、及び前記第３の導光板から前記第２の導光板へ入射する光を遮断する遮光部を備える、（１３）に記載の照明装置。
（１５）
前記遮光部と前記第１の導光板との間に介在する反射部材を備える、（１４）に記載の照明装置。
（１６）
前記第１散乱部には、前記第１照射部から離れるにつれ、深さが深くなる複数の溝があり、
前記第２散乱部には、前記第２照射部から離れるにつれ、深さが深くなる複数の溝があり、
前記第３散乱部には、前記第３照射部から離れるにつれ、深さが深くなる複数の溝がある、（１３）から（１５）のいずれか一項に記載の照明装置。
（１７）
前記第１散乱部には、前記第１照射部から離れるにつれ、面密度が大きくなる複数の凸部があり、
前記第２散乱部には、前記第２照射部から離れるにつれ、面密度が大きくなる複数の凸部があり、
前記第３散乱部には、前記第３照射部から離れるにつれ、面密度が大きくなる複数の凸部がある、（１３）から（１５）のいずれか一項に記載の照明装置。
（１８）
前記第１散乱部には、前記第１照射部から離れるにつれ、形状が大きくなる複数の凸部があり、
前記第２散乱部には、前記第２照射部から離れるにつれ、形状が大きくなる複数の凸部があり、
前記第３散乱部には、前記第３照射部から離れるにつれ、形状が大きくなる複数の凸部がある、（１３）から（１５）のいずれか一項に記載の照明装置。
（１９）
（１）から（１８）のいずれか一項に記載の照明装置を備える表示装置。
【００８４】
第１散乱領域及び第２散乱領域、並びに、前記第１散乱領域及び前記第２散乱領域が配置されていない第１領域を有する第１導光板と、
前記第１領域と重なる第３散乱領域を有する第２導光板と、
前記第１導光板及び前記第２導光板の側面に設けられた複数の光源素子と、
を有し、
前記第１散乱領域、前記第２散乱領域、前記第３散乱領域は、前記光源素子から離れるにつれ、深さが深くなる複数の溝を有する、
照明装置。
【００８５】
第１散乱領域及び第２散乱領域、並びに、前記第１散乱領域及び前記第２散乱領域が配置されていない第１領域を有する第１導光板と、
前記第１領域と重なる第３散乱領域を有する第２導光板と、
前記第１導光板及び前記第２導光板の側面に設けられた複数の光源素子と、
を有し、
前記第１散乱領域、前記第２散乱領域、前記第３散乱領域は、前記光源素子から離れるにつれ、面密度が大きくなる複数の凸部を有する、
照明装置。
【００８６】
第１散乱領域及び第２散乱領域、並びに、前記第１散乱領域及び前記第２散乱領域が配置されていない第１領域を有する第１導光板と、
前記第１領域と重なる第３散乱領域を有する第２導光板と、
前記第１導光板及び前記第２導光板の側面に設けられた複数の光源素子と、
を有し、
前記第１散乱領域、前記第２散乱領域、前記第３散乱領域は、前記光源素子から離れるにつれ、形状が大きくなる複数の凸部を有する、
照明装置。
【００８７】
第１散乱領域及び第２散乱領域、並びに、前記第１散乱領域及び前記第２散乱領域が配置されていない第１領域を有する第１導光板と、
前記第１領域と重なる第３散乱領域を有する第２導光板と、
前記第３領域とは異なる位置で、前記第１領域と重なる前記第４散乱領域を有する第３導光板と、
前記第１導光板、前記第２導光板、前記第３導光板の側面に設けられた複数の光源素子と、
を有し、
前記第１散乱領域、前記第２散乱領域、前記第３散乱領域、前記第４散乱領域は、前記光源素子から離れるにつれ、深さが深くなる複数の溝を有する、
照明装置。
【００８８】
第１散乱領域及び第２散乱領域、並びに、前記第１散乱領域及び前記第２散乱領域が配置されていない第１領域を有する第１導光板と、
前記第１領域と重なる第３散乱領域を有する第２導光板と、
前記第３領域とは異なる位置で、前記第１領域と重なる前記第４散乱領域を有する第３導光板と、
前記第１導光板、前記第２導光板、前記第３導光板の側面に設けられた複数の光源素子と、
を有し、
前記第１散乱領域、前記第２散乱領域、前記第３散乱領域、前記第４散乱領域は、前記光源素子から離れるにつれ、面密度が大きくなる複数の凸部を有する、
照明装置。
【００８９】
第１散乱領域及び第２散乱領域、並びに、前記第１散乱領域及び前記第２散乱領域が配置されていない第１領域を有する第１導光板と、
前記第１領域と重なる第３散乱領域を有する第２導光板と、
前記第３領域とは異なる位置で、前記第１領域と重なる前記第４散乱領域を有する第３導光板と、
前記第１導光板、前記第２導光板、前記第３導光板の側面に設けられた複数の光源素子と、
を有し、
前記第１散乱領域、前記第２散乱領域、前記第３散乱領域、前記第４散乱領域は、前記光源素子から離れるにつれ、形状が大きくなる複数の凸部を有する、
照明装置。
【符号の説明】
【００９０】
１，１ａ，１ｂ，１ｃ，１ｄ，１ｅ  表示装置
２  表示パネル
３，３ａ，３ｂ，３ｃ，３ｄ，３ｅ  照明装置
３４，３４ｄ，３４ｅ  第１の導光板
３６  第１上面
３８  第１下面
４０  第１側面
４２  第２側面
４４，４４ａ  第１散乱部
４６，４６ａ，４６ｄ，４６ｅ  第２散乱部
４８、５０ａ  第１領域
５０  第２領域
５２  第３領域
５４，５４ｅ  第２の導光板
５６  第２上面
５８  第２下面
６０  第３側面
６２  第４側面
６４，６４ａ，６４ｅ  第３散乱部
６６，６６ａ  第４散乱部
７０  第１照射部
７４，７４ｅ  第２照射部
７６  第３照射部
７８  第４照射部
８０，１０２ｃ，１０４ｃ，１４０ｅ  反射板
８２，８４，８６，８８  ＦＰＣ
１００ｂ  接続部
１０６ｄ，１０６ｅ  第３の導光板
１０８ｄ，１０８ｅ  第３上面
１１０ｄ，１１０ｅ  第３下面
１１２ｄ，１１２ｅ  第５側面
１１４ｄ，１１４ｅ  第６側面
１１６ｄ  第４領域
１１８ｄ  第５領域
１２４ｅ  第６領域
１２６ｅ  第７領域
１３０ｅ  遮光部
【図１】
2019021457.tif 000003
【図２】
2019021457.tif 000004
【図３】
2019021457.tif 000005
【図４】
2019021457.tif 000006
【図５】
2019021457.tif 000007
【図６】
2019021457.tif 000008
【図７】
2019021457.tif 000009
【図８】
2019021457.tif 000010
【図９】
2019021457.tif 000011
【図１０】
2019021457.tif 000012
【図１１】
2019021457.tif 000013
【図１２】
2019021457.tif 000014
【図１３】
2019021457.tif 000015
【図１４】
2019021457.tif 000016
【図１５】
2019021457.tif 000017
【図１６】
2019021457.tif 000018
【図１７】
2019021457.tif 000019
【図１８】
2019021457.tif 000020